(57)【要約】【課題】センサ用受入れ部を有する衣類物品ならびにスポーツ衣類物品の製造方法を提供すること。【解決手段】本発明は、少なくとも１つのセンサを受け入れるのに適した第１の布領域（２）と、第２の布領域（３）と、第１の布領域（２）と第２の布領域（３）との間に少なくとも部分的に配置された第３の布領域（４）とを備える衣類物品（１）であって、第３の布領域（４）が、衣類物品（１）の着用時に前記第３の布領域（４）が第１の布領域（２）と第２の布領域（３）との間の相対運動を分離するように設けられ、その結果、第１の布領域（２）によって受け入れられたセンサが、衣類物品（１）の着用者の隠れた器官の領域に対して実質的に動かないようにされる、衣類物品（１）に関する。【選択図】図１
2014074258.tif 000002
【特許請求の範囲】
【請求項１】
衣類物品（１）であって、
ａ．少なくとも１つのセンサを受け入れるのに適した第１の布領域（２）と、
ｂ．第２の布領域（３）と、
ｃ．前記第１の布領域（２）と前記第２の布領域（３）との間に少なくとも部分的に配置された第３の布領域（４）とを備えており、
前記衣類物品（１）の着用時に前記第３の布領域（４）が前記第１の布領域（２）と前記第２の布領域（３）との間の相対運動を分離するように、前記第３の布領域（４）が提供され、それによって、前記第１の布領域（２）によって受け入れられたセンサが、前記衣類物品（１）の着用者の隠れた器官の領域に対して実質的に動かないようにされたままにある、衣類物品（１）。
【請求項２】
前記第３の布領域（４）に加工される材料が、前記第１の布領域（２）に加工される材料よりも容易に伸張させることができる、請求項１に記載の衣類物品（１）。
【請求項３】
前記第３の布領域（４）が凸凹構造（７）を含む、請求項１または２に記載の衣類物品（１）。
【請求項４】
前記衣類物品（１）の着用時に前記第３の布領域（４）が前記第１の布領域（２）よりも前記衣類物品（１）の着用者の皮膚からさらに離間するように、前記第３の布領域（４）が提供される、請求項１から３の一項に記載の衣類物品（１）。
【請求項５】
前記第３の布領域（４）が、前記第１の布領域（２）および／または前記第２の布領域（３）と実質的に異なる機械的事前張力を有する、請求項１から４の一項に記載の衣類物品（１）。
【請求項６】
前記第３の布領域（４）が、前記衣類物品の着用時の最大伸張方向に実質的に沿った長めの部分を含む、請求項１から５の一項に記載の衣類物品（１）。
【請求項７】
前記器官が、前記衣類物品の着用者の皮膚、心臓、肺、胸部、または腹部である、請求項１から６の一項に記載の衣類物品（１）。
【請求項８】
前記第１の布領域（２）および前記第２の布領域（３）が当接しないように、前記第１の布領域（２）と前記第２の布領域（３）との間に前記第３の布領域（４）が配置された、請求項１から７の一項に記載の衣類物品（１）。
【請求項９】
前記衣類物品（１）が上半身部用衣類物品であり、前記第１の布領域（２）が胴領域であり、前記第２の布領域（３）が袖領域である、請求項１から８の一項に記載の衣類物品（１）。
【請求項１０】
前記第３の布領域（４）が周方向の袖部分である、請求項９に記載の衣類物品（１）。
【請求項１１】
前記第１の布領域（２）が、前記センサを受け入れるためのポケット（５）または留め具を備える、請求項１から１０の一項に記載の衣類物品（１）。
【請求項１２】
前記センサ（６）が、前記第１の布領域（２）内に縫い付け、織り合わせ、編み込み、または接着剤で付けられる、請求項１から１１の一項に記載の衣類物品（１）。
【請求項１３】
前記第３の布領域（４）が布地である、請求項１から１２の一項に記載の衣類物品（１）。
【請求項１４】
前記第１の布領域（２）および前記第２の布領域（３）が同じ材料を有する、請求項１から１３の一項に記載の衣類物品（１）。
【請求項１５】
前記第３の布領域（４）が、互いに異なる２つの方向に、２つの異なる弾性モジュール（Ｅ１、Ｅ２）を含み、前記衣類物品の着用時に最大機械的張力（Ｆ）が生じる方向に対して、小さい方の弾性モジュール（Ｅ１）の方向が実質的に平行であるように向けられる、請求項１から１４の一項に記載の衣類物品（１）。
【請求項１６】
前記衣類物品（１）の着用時に前記センサが前記衣類物品（１）の着用者の胴体の一方の側に位置決めされるべく前記センサが配置されるように、前記衣類物品（１）が設計された、請求項１から１５の一項に記載の衣類物品（１）。
【請求項１７】
前記センサが前記衣類物品（１）の着用者の胴体を少なくとも部分的に取り巻いて前記センサ（６）が周方向に配置されるように、前記衣類物品（１）が設計された、請求項１から１６の一項に記載の衣類物品（１）。
【請求項１８】
前記センサが、前記第１の布領域および／または前記衣類物品の着用者の皮膚と実質的に等しい伸張挙動を有する布センサである、請求項１から１７の一項に記載の衣類物品（１）。
【請求項１９】
前記センサが心拍数用電極であり、前記センサが前記衣類物品の着用者の側面胸部領域に配置されて前記センサが配置されるように、前記衣類物品（１）が設計された、請求項１から１８の一項に記載の衣類物品（１）。
【請求項２０】
前記センサが、データ伝達デバイスと通信する心拍数用電極である、請求項１から１９の一項に記載の衣類物品（１）。
【請求項２１】
スポーツ衣類物品の製造方法であって、
ａ．前記スポーツ衣類物品の着用者の少なくとも１つのスポーツ特定運動の間、前記着用者の皮膚の伸張パターンを得るステップと、
ｂ．前記スポーツ衣類物品を製造するステップとを含み、
前記スポーツ衣類物品が、前記着用者の前記スポーツ特定運動の間の前記皮膚の前記伸張パターンと実質的に同様の伸張パターンを呈し、センサを受け入れるのに適している、スポーツ衣類物品の製造方法。
【請求項２２】
ステップｂ．が、前記スポーツ衣類物品の前記伸張パターンが設けられるように設計され、それによって、前記スポーツ衣類物品の着用時に、前記スポーツ衣類物品によって受け入れられたセンサが前記衣類物品の着用者の隠れた器官の領域に対して実質的に動かないようにされる、請求項２１に記載の方法。
【請求項２３】
前記器官が、前記スポーツ衣類物品の着用者の皮膚、心臓、肺、胸部、または腹部である、請求項２２に記載の方法。
【請求項２４】
ステップｂ．が、
前記スポーツ衣類物品にセンサ用組付け部を取り付けるステップ
をさらに含む、請求項２１から２３の一項に記載の方法。
【請求項２５】
ステップｂ．が、
前記スポーツ衣類物品にセンサを取り付けるステップ
をさらに含む、請求項２１から２４の一項に記載の方法。
【請求項２６】
前記組付け部および／または前記センサが、前記スポーツ衣類物品の前記伸張パターンの他の領域と比べてほとんど伸張しない領域に配置される、請求項２４または２５に記載の方法。
【請求項２７】
布領域が、前記スポーツ衣類物品の前記伸張パターンの他の領域と比べて強い伸張の領域に組み込まれ、他の布領域よりも伸張しやすい、請求項２１から２６の一項に記載の方法。
【請求項２８】
ステップａ．で伸張パターンを得ることが、光学的方法により行われる、請求項２１から２７の一項に記載の方法。
【請求項２９】
ステップｂ．が、
前記スポーツ衣類物品の少なくとも２つの布領域を異なる伸張挙動で形成すること
をさらに含む、請求項２１から２８の一項に記載の方法。
【請求項３０】
請求項２１から２９の一項に記載の方法に従って製造されたスポーツ衣類物品。
【発明の詳細な説明】
【技術分野】
【０００１】
本発明は、センサ用受入れ部を有する衣類物品ならびにスポーツ衣類物品の製造方法に関する。
【背景技術】
【０００２】
衣類物品は、特にスポーツの領域において、また患者の静止または移動をモニタリングする際にも、次第にセンサを備えるようになってきている。これらのセンサは、そのような衣類物品の着用者の生理学的データを測定することができる。たとえば、心拍数、心電図（ＥＣＧ、electrocardiogram）信号または呼吸信号は、この生理学的データに属するが、現在の運動状態および体温もまた生理学的データに属する。
【０００３】
たとえば、心拍数は、ヒトの皮膚と接触させる２つの電極により測定される。ヒトの心拍、具体的には心拍のいわゆるＲＲ間隔（RR Interval）が皮膚上に電圧変化をもたらし、この電圧変化を２つの電極によって測定することができる。
【０００４】
呼吸の測定は、胸および／または腹部領域に配置することができる蛇行形状の導電体により行われ、それぞれの蛇行形状の導電体は、電気コイルを表し、電気振動子に接続される。呼吸運動により、胸および腹部の周囲長さが変化し、したがって導電体の長さが変化し、コイルのインダクタンスが変化し、最終的に振動数が変化する。振動数の変化は評価することができ、呼吸運動に関する判断を行うことを可能にする。
【０００５】
ヒトの運動状態は、位置センサまたは加速度センサにより検出することができる。位置センサは、空間におけるセンサの位置に対するデータを提供することができ、一方で加速度センサは、加速度センサに作用する加速度を測定する。センサは、身体部位の運動および／または位置を測定するために、たとえば四肢などの個別の身体部位に配置することができる。距離センサは、互いに対する個別の身体部位間の距離を測定するために使用することができる。
【０００６】
衣類物品に固着したセンサは、固定されたままである、すなわち、変位しないことが望ましい。たとえば、上記した心拍数測定用の電極が変位すると、皮膚への接触が妨げられるか、または完全に失われることになる場合があり、その結果、心拍によって生じる皮膚上の電圧の測定ができなくなる。
【０００７】
また、センサの距離自体が器官から遠すぎて、器官の生理的信号を測定できないということが起こり得る。たとえば、上記した呼吸運動を測定する物は、腋窩方向にかなり上方へ変位することがある、または傾く場合があり、その結果、呼吸運動の決定ができなくなる。異なる例では、そのような電極を備える衣類物品の着用時に、心拍数を測定するための電極自体が、心拍によって生じる皮膚上の電圧の測定ができなくなるほど心臓から離れている場合がある。
【０００８】
センサを備える衣類物品の着用時に、好ましくはセンサを固定、すなわち変位させないという要望は、まさに変位することが好ましい身体運動が行われるといった、まさにこうした状況でそのような衣類物品が着用されるという事実に相反する。たとえば、スポーツ用衣類物品の着用者は、複雑で強い動きを行うことがある。たとえば、サッカー選手は、スローインを行うときに両腕を頭部より上に上げるため、ジャージの胴部分は、上方、すなわち、頭部の方向に力を受ける。テニス選手の場合、ボールを打つときに上半身の衣類に片寄った力が生じ、これにより上半身の衣類が皮膚に対してねじられることがある。モニタリングの目的で夜間にセンサを備える衣類物品を着用する患者は、無意識に横臥位置を変え、動くことがあり、それによってセンサの変位をもたらす場合がある。
【０００９】
センサの変位または測定すべき器官から過剰に離れるという問題に関連して、センサが最適に位置決めされることが特に重要である。センサを備える衣類物品を身に着けた直後に、前記センサが信号を今にも測定できるようにすでに位置決めされている場合、移動によって生じた変位は、センサが前記衣類物品を身に着けた直後に最適に位置決めされる場合よりもさらに少なくしか許容され得ない。前記衣類物品を身に着けた直後、センサが不正確に位置決めされる場合、すなわち、たとえば測定すべき器官から遠すぎる場合、センサは最初からどの信号も測定することができない。
【発明の概要】
【発明が解決しようとする課題】
【００１０】
したがって、本発明の基礎をなす目的は、衣類物品の着用時にセンサの変位が低減または回避され、センサが捉えた測定信号が妨げられないように、衣類物品に備えられたセンサをできるだけ最良に位置決めし固定することである。本発明のさらなる目的は、スポーツ衣類物品を製造する方法を提供することである。
【課題を解決するための手段】
【００１１】
本発明の第１の態様によれば、センサを受け入れるのに適した第１の布領域と、第２の布領域と、第１の布領域と第２の布領域との間に少なくとも部分的に配置された第３の布領域とを備える衣類物品であって、第３の布領域が、衣類物品の着用時に生じる第１の布領域と第２の布領域との間の相対運動を分離するように設けられ、その結果、第１の布領域に受け入れられたセンサが、衣類物品の着用者の隠れた器官の領域に対して実質的に動かないようにされたままである、衣類物品によって、この課題が解決される。
【００１２】
「実質的に動かないようにされた」とは、衣類物品の着用時に測定ができなくなるほどセンサが変位しないことを意味する。隠れた器官の領域は、センサが測定信号を測定することができる領域とすることができる。センサが皮膚に接して置かれる心拍数用電極である場合、この領域は、皮膚上に数センチメートル、たとえば１０ｃｍの直径を有することができる。器官が皮膚である場合、好ましくはセンサに対する皮膚の一部分のみが実質的に動かないようにされたままである。
【００１３】
センサを備える既知の衣類物品とは異なり、本発明による衣類物品は、第１の布領域と第２の布領域との間の相対運動を実質的に分離する第３の布領域を提供する。センサを受け入れることができる第１の布領域は、ここで、第２の布領域とはほぼ関係なく移動することができる。分離する第３の布領域を第１の布領域と第２の布領域との間に提供し配置することで、衣類物品の着用者の身体運動により引き起こされる第１の布領域と第２の布領域との間の相対運動により第１の布領域と第２の布領域との間に生じる力が低減または回避される。
【００１４】
本発明者らは、衣類物品が皮膚と共に移動しないとき、すなわち引張り力、推力およびせん断力の発生時に衣類物品が下にある皮膚と異なって伸張するとき、変位が常に生じることを特に認識している。第１の布領域と第２の布領域との間の第３の布領域、および第１の布領域と第２の布領域との間を分離するその配置により、センサを受け入れることができる第１の布領域が実質的に皮膚と共に移動し、したがって信号を連続して伝えることを保証するといった、本質的に新たな概念が、本発明の基礎をなしている。第２の布領域から分離することにより、第１の布領域は、下にある皮膚と実質的に同じ引張り力、推力およびせん断力を受け、皮膚と同様に変形し、その結果センサの変位が低減または回避される。
【００１５】
本発明による衣類物品により、自然な運動シーケンスの間、測定信号の持続的な「消失（loss）」が存在することなく、生理学的データの測定が可能になる。センサの固定は持続的にモニタリングし修正することができないので、リアルタイム測定では測定信号が持続的に消失しないことが特に重要である。たとえば、本発明による衣類物品を装着したスポーツ競技者は、センサの位置を修正するために運動場を離れる必要がない。ラグビーなどの比較的「荒っぽい」スポーツでさえ、センサの固定が保証される。
【００１６】
原則的に、本発明に従って新たな概念を実現するための第３の布領域の設計には、多数の可能な形態が存在する。
【００１７】
本発明の第１の好ましい実施形態によれば、第３の布領域内の加工材料は、第１の布領域内の加工材料よりも容易に伸張可能である。
【００１８】
「よりも容易に伸張可能」とは、第３の布領域の部分が、典型的には衣類物品の着用時に生じる力を加えたときに、第１の布領域の等しい大きさの部分よりも大きな長さ変化または伸張を受けることを意味する。このことは異なる積層、編み込み、織り合わせまたは網構造のパターン、第１の布領域および第３の布領域において異なる繊維、材料の厚さもしくは密度により実現することができる。
【００１９】
第３の布領域が第１の布領域よりも容易に伸張可能である材料を有するので、第１の布領域と第２の布領域との間に生じる引張り力が低減され、第１の布領域内のセンサの変位が低減または回避される。同時に、第１の布領域における加工材料は、センサを固定するためにそれほど容易に伸張可能ではなくてもよい。
【００２０】
たとえば、第３の布領域は、第１の布領域よりも小さい弾性モジュールを有することができる。材料の弾性モジュールは、引張り力下でどのくらい遠くに材料が伸張するかを示す。一般には、弾性モジュールは引張り力および材料拡張の比率（quotient）として定義され、すなわち、より小さい弾性モジュールとは、同じ材料の拡張により小さい引張り力を必要とすることを意味する。好ましくは、第３の布領域は、第１の布モジュールの１／３から１／２の弾性モジュールを有し、すなわち、第３の布領域は、同じ布力下で第１の布領域の長さの最大２倍または３倍伸張することができる。
【００２１】
第３の布領域の実装形態のための、多数の可能な形態のさらなる可能な形態では、本発明の好ましい代替実施形態に従って、第３の布領域が凸凹構造を含むことを提供する。したがって、第３の布領域は、皮膚のどこにも接近して置かれない。第３の布領域は、たとえば、生じる引張り力に対して適切な角度にある折りひだ（プリーツ）を有することができ、この折りひだ（プリーツ）は、第１の布領域と第２の布領域との間に生じる引張り力により広がる、すなわち、まっすぐに引っ張られる。この折りひだにより、第３の布領域は、伸びまたは伸張による引張り力を最小にし第１の布領域および第２の布領域を分離するための十分な布地予備部を含む。展開する微細なけん縮表面構造の第３の布領域もまた考えられる。
【００２２】
第３の布領域の実装形態のための、多数の可能な形態のさらなる可能な形態では、本発明の好ましい代替実施形態に従って、第３の布領域が、衣類物品の着用時に第１の布領域よりも衣類物品の着用者の皮膚から遠くに離すように設けられることを提供する。第１の布領域および第２の布領域はたとえば、着用者の身体に密着する切断部とすることができ、一方で第３の布領域は異なる切断部を有する。この方策により、第３の布領域が、伸びまたは伸張の結果生じる引張り力を最小にし、第１の布領域および第２の布領域を分離するように十分な布地予備部を有することが保証される。同時に、第１の布領域は、センサとたとえば皮膚との接触を確実にするために十分に着用者の皮膚の近くに置かれ、第２の布領域は、衣類物品の適切なフィット性を確実にするために皮膚の十分近くに置かれる。
【００２３】
第３の布領域の実装形態のための、多数の可能な形態のさらなる可能な形態では、本発明の好ましい代替実施形態に従って、第３の布領域が、第１の布領域および／または第２の布領域とは実質的に異なる機械的事前張力を有する。
【００２４】
したがって、機械的事前張力は、衣類物品の着用者の運動時に第１の布領域に配置されたセンサが妨げられることなく信号を測定できるように異なる。
【００２５】
たとえば、第３の布領域は、第１の布領域および第２の布領域よりも低い機械的事前張力を有することができる。このように、衣類物品の着用時に第３の布領域は、引張り応力が第１の布領域と第２の布領域との間に生じたときよりも容易に変形することができる。したがって、引張り力の発生は、第３の布領域の伸びまたは伸張により最小にすることができ、第１の布領域および第２の布領域は分離される。
【００２６】
第３の布領域の低い機械的事前張力は、たとえば、第３の布領域を第１の布領域および／または第２の布領域に接続する、たとえば縫い付けるときに第１の布領域および／または第２の布領域を引張り応力により伸張することで達成することができる。このように、第３の布領域は、第１の布領域および／または第２の布領域よりも低い機械的事前張力を受ける。
【００２７】
上記した好ましい代替実施形態は、第３の布領域の実装形態のための多数の可能な形態が存在することを示す。すべての可能な形態は、第３の布領域の提供および第１の布領域と第２の布領域との間を分離する第３の布領域の配置により、センサを受け入れることができる第１の布領域が皮膚と共に移動することを確実にするという共通点を有する。このように、センサの変位が低減または回避される。たとえば、心拍数用電極が、心臓によってもたらされる表面電圧を測定できる皮膚の領域と接触したままであることが保証される。
【００２８】
当然ながら、例として説明した異なる手法の組合せ、ならびに第１の領域および第２の領域を相応に実装した第３の領域により分離する他の手法が考えられる。
【００２９】
本発明の好ましい実施形態では、衣類物品の着用時に、第３の布領域は、最大伸張の方向に実質的に沿った細長い部分を有する。第１の布領域と第２の布領域との間に生じる力は、ここで効率的に分離される。
【００３０】
センサは、たとえば、心拍数の測定またはＥＣＧ用に使用されるように、皮膚上の電圧を測定するための皮膚用電極であってもよい。センサは、上記したように配置することができる、呼吸を測定するための蛇行形状の導電体とすることもできる。また、センサは生理的磁界も測定することができる磁力計であってもよい。
【００３１】
好ましくは、器官は、衣類物品の着用者の皮膚または心臓または肺である。器官は、胸部、腹部、または脚もしくは腕などの肢などの身体領域とすることもできる。センサによって生理学的データを測定することができる他の器官が考えられる。
【００３２】
好ましくは、第３の布領域は、第１の布領域および第２の布領域が当接しないように第１の布領域と第２の布領域との間に配置される。しかし、このことは必須ではない。たとえば、第３の布領域は、実質的に円筒面の形状の周方向の挿入部とすることができる。この挿入部は、たとえば、衣類物品の着用時に腕または腋窩などの身体部位を囲むことができる。第１の領域および第２の領域が当接しないことにより、両方の領域は第３の布領域によって完全に分離され、センサが変位する危険性はさらに低減される。
【００３３】
好ましくは、衣類物品は、上半身部用の衣類物品であり、第１の布領域は胴領域であり、第２の布領域は袖領域である。衣類物品は、たとえば、多くの種類のスポーツ、たとえばサッカー、テニスまたはランニングで着用されるようなＴシャツであってもよい。衣類物品が、力という見地からは第３の布領域により胴領域から分離される袖を備えることにより、見かけは単一の衣類物品として着用することができる。着用者は、実際のスポーツ衣類の下に、追加の袖なし下着としてセンサを備えた衣類物品を着用する必要がない。本発明は、異なるスポーツ、夏および冬などの異なる季節、または室内スポーツおよび屋外スポーツ用に、センサを初めて有し、そのセンサが変位する過度の危険がない、極めて多くの衣類物品を実現する可能性を広げるものである。
【００３４】
なお一層好ましくは、第３の布領域は周方向の袖部である。たとえば周方向の袖部は、腋窩に近接して配置される円筒面の形状の袖部であってもよい。したがって、冬用ジャージなどの長袖の衣類物品においてさえ、袖はここでは最適に衣類物品の胴領域から分離される。
【００３５】
衣類物品の好ましい実施形態では、第１の布領域は、ポケットもしくはクリップまたはセンサを受け入れるための同様のものを備える。一方では、ここではセンサは、衣類物品を洗濯するときにセンサを損傷しないように着脱可能である。他方では、センサはポケットに最適に保持され、測定すべき器官の上に位置決めされる。
【００３６】
あるいは、センサを第１の布領域内に縫い付け、織り合わせ、編み込み、または接着剤で付ける。衣類物品の洗濯で損傷を免れ得るセンサである場合、着用者がセンサの固定を心配する必要なく単に衣類物品を着用することができるので、この種類の固着は、衣類物品の取扱いを単純にする。また、縫い付け、織り合わせ、編み込み、または接着剤で付けるセンサは、第１の布領域内で変位し得ない。このように、センサは不正確に位置決めされ得ない。
【００３７】
好ましくは、第３の布領域は布地である。布地には、たとえば布の弾性モジュールによって表される弾性が、製織技法および使用する織り糸の種類により容易に設定できるという利点がある。
【００３８】
好ましくは、第１の布領域および第２の布領域は同じ材料を有する。衣類物品はここで実質的に一様の外見を与えられる。たとえば、長袖Ｔシャツでは、袖は、腋窩に近接して配置される第３の布領域を除いて、胴領域と同じ材料から作製することができる。
【００３９】
本発明の好ましい実施形態では、第３の布領域は、衣類物品の着用時に小さい方の弾性モジュールの方向が最大の機械的張力が生じる方向に実質的に平行であるように向けられた、互いに異なる２つの方向に、２つの異なる弾性モジュールを含む。第３の布領域のこの向きにおいて、第３の布領域は、引張り力の発生時に第１の布領域におけるセンサの変位を低減または回避するように最も容易に伸張することができる。
【００４０】
好ましくは、衣類物品は、衣類物品の着用時にセンサが衣類物品の着用者の胴体の片側に位置決めされるようにセンサを配置するように設計される。この位置決めにより、たとえば、衣類物品の着用者の心拍は容易に測定することができる。
【００４１】
好ましくは、センサは心拍数用電極とすることができ、側面胸部領域に配置される。なお一層好ましくは、２つの心拍数用電極が対向する側面胸部領域に配置される。
【００４２】
本発明の別の好ましい実施形態では、衣類物品は、衣類物品の着用時にセンサが衣類物品の着用者の胴体を少なくとも部分的に取り巻くように、センサを周方向に配置するように設計される。たとえば、上記したように、センサは、蛇行形状の導電体とすることができ、呼吸を測定するために使用され、胸および／または腹部の周囲長さの変化が測定される。
【００４３】
本発明のさらなる態様は、ａ．スポーツ衣類物品の着用者の少なくとも１つのスポーツ特定運動の間、着用者の皮膚の伸張パターンを得るステップと、ｂ．スポーツ衣類物品を製造するステップとを含むスポーツ衣類物品を製造する方法であって、スポーツ衣類物品が、着用者のスポーツ特定運動の間の皮膚の伸張パターンと実質的に同様の伸張パターンを呈し、センサを受け入れるのに適している、方法に関する。
【００４４】
着用者のスポーツ特定運動とは、スポーツの特定運動である。たとえば、着用者は、特定運動としてサッカーの間スローインを実施することができ、またはテニスではボールを打つことができる。このように、衣類物品は、特定のスポーツに適応するように製造することができ、スポーツを実施するときに前記スポーツ衣類物品に備えられたセンサの変位を低減することが保証される。
【００４５】
スポーツ衣類物品の伸張パターンは、心拍数用電極などスポーツ衣類物品に備えられたセンサが、スポーツ衣類物品の着用者の運動の間スポーツ衣類物品の着用者の隠れた器官の領域に対して実質的に動かないようにされたままであるほど、皮膚の伸張パターンと非常に類似している。このことは、センサが、持続的な測定ができなくなるような着用者の特定運動の間変位しないことを意味する。
【００４６】
本発明による方法により、センサを受け入れるのに適したスポーツ衣類物品の製造を可能にし、したがって、自然な運動シーケンスの間、測定信号の持続的な「消失」が存在することなく、リアルタイムでスポーツ衣類物品の着用者の生理学的データを測定することを可能にする。たとえば、本発明による衣類物品を装着したスポーツ競技者は、センサの位置を修正するために運動場を離れる必要がない。ラグビーなどの比較的「荒っぽい」スポーツでさえ、センサの固定が保証される。一方で、本発明による方法に従って製造されたスポーツ衣類物品は、衣類物品の着用者の休息状態で、備えられたセンサが良好に信号を測定することを可能にする。他方で、着用者の運動の間、たとえばスポーツの間、持続的な信号の「消失」が低減または回避される。
【００４７】
本方法の好ましい実施形態では、ステップｂ．は、スポーツ衣類物品の伸張パターンが設けられるように設計され、その結果スポーツ衣類物品の着用時、前記スポーツ衣類物品によって受け入れられたセンサが衣類物品の着用者の隠れた器官の領域に対して実質的に動かないようにされる。
【００４８】
器官が、スポーツ衣類物品の着用者の皮膚、心臓、肺、胸部または腹部であることがさらに好ましい。また、器官は、胸部または腹部などの身体部位を意味するが、たとえば脚または腕などの肢も意味することを理解されたい。
【００４９】
本方法が、スポーツ衣類物品にセンサ用組付け部を取り付けるステップを含むことがさらに好ましい。取付体はたとえばポケットまたは留め具（クリップ）とすることができる。
【００５０】
本方法が、センサをスポーツ衣類物品に取り付けるステップを含むことがさらに好ましい。たとえば、センサは、スポーツ衣類物品内に縫い付け、織り合わせ、編み込まれ、または接着剤で付けることができる。しかし、センサはスポーツ衣類物品のポケットの中に置くこともでき、または、クリップもしくは同様のものによりスポーツ衣類物品に固定することができる。
【００５１】
本方法の好ましい実施形態では、組付け部および／またはセンサは、スポーツ衣類物品の伸張パターンの他の領域と比べてほとんど伸張しない領域に配置される。このように、着用者の特定運動の間、センサが変位し、測定ができなくなることをさらにより良好に回避または低減することができる。
【００５２】
本方法の好ましい実施形態では、布領域は、スポーツ衣類物品の伸張パターンの他の領域と比較して強い伸張の領域に組み込まれ、他の布領域よりも容易に伸張する。スポーツ衣類物品の異なる領域間の機械的張力はこのことにより低減され、具体的にはスポーツ衣類物品に備えられたセンサが皮膚と共に移動することが確実になる。
【００５３】
本方法の好ましい実施形態では、伸張パターンを得ることは、光学的方法によりステップａ．で行われる。たとえば、伸張パターンを決定するために、特定運動の間伸張パターンの距離の相対変化が光学的に記録される参照点を皮膚上に適用することができる。
【００５４】
好ましくは、本方法のステップｂ．は、スポーツ衣類物品の少なくとも２つの布領域を異なる伸張挙動で形成することをさらに含む。たとえば、強い弾性を呈するスポーツ衣類物品の布領域を皮膚の強い伸張の領域に設けることができる。皮膚のほとんど伸張しない領域では、それに応じて低い弾性を呈する布領域を設けることができる。このように、スポーツ衣類物品の伸張パターンを皮膚の伸張パターンに適合させることができる。
【００５５】
本発明のさらなる態様は、上記した方法に従って製造されたスポーツ衣類物品に関する。
【００５６】
以下の詳細な説明において、本発明による衣類物品の現在好ましい実施形態を添付の図面を参照して説明する。
【図面の簡単な説明】
【００５７】
【図１】本発明による衣類物品が上半身部用の衣類物品である、本発明の第１の実施形態の概略図である。
【図２】図１の実施形態にあるような衣類物品の運動の概略図である。
【図３】折りひだ状構造を有する、本発明による衣類物品の代替実施形態の概略図である。
【図４】衣類物品の着用者の皮膚からさらに離した第３の布領域を備える、本発明による衣類物品のさらなる代替実施形態の概略図である。
【図５】互いに接触する第１の布領域と、第２の布領域とを備える、本発明による衣類物品のさらなる実施形態の概略図である。
【図６】２つの異なる弾性モジュールを含む、本発明による衣類物品のさらなる実施形態の概略図である。
【図７】衣類物品が、着用者の胸部の周りに周方向でセンサを配置するように設計された、本発明による衣類物品のさらなる実施形態の図である。
【図８】衣類物品が周方向の第３の布領域と、センサに接続された導電体とを備える、本発明による衣類物品のさらなる実施形態の図である。
【図９】２つの部分および測定データ処理デバイスを備える第３の布領域を有する、本発明による衣類物品の一実施形態の図である。
【図１０】図９の実施形態による第３の布領域の部分の詳細図である。
【図１１】本発明による方法の実施の部分側面図である。
【図１２】本発明による方法の実施の部分側面図である。
【図１３】一実施形態に従った第３の布領域の部分の詳細図である。
【図１４】一実施形態に従ったスロットを有する第３の布領域の部分の詳細図である。
【図１５】本発明による衣類物品の一代替実施形態の部分図である。
【図１６】本発明による衣類物品の一代替実施形態の部分図である。
【図１７】センサ最適位置の領域の位置特定に関する図である。
【図１８】センサ最適位置の領域を位置特定する一態様図である。
【図１９】２つの異なる種類のスポーツのためにセンサ最適位置の領域を位置特定する一態様図である。
【発明を実施するための形態】
【００５８】
以下において、本発明の現在好ましい実施形態を衣類物品ならびに方法に言及して説明する。
【００５９】
図１は、本発明の第１の態様による衣類物品１の概略図を示す。図１の実施形態では、衣類物品１は、たとえば、冬用サッカージャージである上半身部用長袖衣類物品として示される。主に、衣類物品は、半袖シャツ、たとえば夏用ジャージ、ランニングシャツ、下着、ベスト、ズボン、したがってあらゆる衣類物品とすることもできる。衣類物品は、好ましくはサッカーまたはバスケットボールなどのスポーツ活動用機能性衣類である。
【００６０】
衣類物品は、一般的に織布から製造される。布は織布、交絡糸、編布、フリース、したがって布繊維から製造されるあらゆる種類の布であってよい。
【００６１】
図１に示される衣類物品１は、少なくとも１つのセンサ（図１には示さず）を受け入れるのに適した第１の布領域２を有する。第１の布領域２は、上記したように織布から製造される。図１の衣類物品において、第１の布領域は、図示される上半身部用衣類物品の胴領域である。本発明による異なる衣類物品、たとえば、１本のズボンでは、第１の布領域は、たとえば大腿領域とすることができる。
【００６２】
第１の布領域は、少なくとも１つのセンサ（図１には示さず）を受け入れるのに適している。センサは、たとえば、ポケットもしくはクリップの形態の取付体（図１には示さず）または異なる固定手段により受け入れることができる。面ファスナー、スナップまたは締めひもなど他の形態の取付体が考えられる。センサが皮膚と接触する必要がある場合、組付け部は内側、すなわち周囲に正しく着用される衣類物品の、身体に面する側に配置することができる。そのような場合、取付体は、たとえば１つまたは複数の穴を通してセンサと皮膚との接触を可能にする。
【００６３】
第１の布領域２はセンサを永続的に、すなわち取外し不能に受け入れることもできる。たとえば、センサを第１の布領域内に縫い付け、織り合わせ、編み込み、または接着剤で付けることができる。
【００６４】
図１に示される衣類物品１は、第２の布領域をさらに備える。上記したように、第２の布領域３も織布から製造される。この織布は、第１の布領域２と同じ材料であってもよい。図１の第２の布領域３は、図１の上半身部用衣類物品の袖領域である。本発明による異なる衣類物品、たとえば、１本のズボンでは、第２の布領域はたとえば下腿領域とすることができる。
【００６５】
さらに、図１に示される衣類物品１は、第３の布領域４を備える。上記したように、第３の布領域４も織布から製造される。主に、この第３の布領域４は、第１の布領域および第２の布領域とは異なる織布とすることができる。図１に示される第３の布領域４は周方向の袖部の形状を有し、すなわち、衣類物品１の着用者の腕周りを一周する。たとえば袖部４は、実質的に円筒面の形状の周方向の挿入部とすることができる。たとえば、第３の布領域のためのスペースを作るために胴のシームおよびＴシャツの袖を短くすることができ、その結果、袖は、第３の布領域を挿入する前および挿入した後で同じ長さを有する。
【００６６】
第３の布領域４は、衣類物品の着用時に第１の布領域と第２の布領域との間の相対運動を分離するように提供され、その結果、第１の布領域によって受け入れられたセンサ（図１には示さず）は、衣類物品の着用者の隠れた器官の領域に対して実質的に動かないようにされたままである。
【００６７】
たとえば、センサは隠れた皮膚の領域に実質的に動かないようにすることができる。このことは、皮膚と電極との間にできるだけ低い境界抵抗を必要とする心拍数用電極には特に有利である。使い方に応じて、センサを追加的にまたは別の方法で内部の器官、たとえば心臓または肺に対して実質的に動かないままにすることができる。
【００６８】
たとえば、器官が皮膚である場合、センサが、センサに直接関連付けられる皮膚の領域に実質的に動かないようにされたままであれば十分である。たとえば、器官は、数センチメートル、たとえば１０センチメートルの直径を有することができる皮膚の領域とすることができ、この器官の上にセンサが置かれ、この器官に対してセンサは実質的に動かないようにされたままである。心拍を測定する位置にあるセンサに関して、脚上の領域など皮膚の他の領域がセンサに対して動くか否かは無関係である。
【００６９】
図１の実施形態からの衣類物品１の運動を概略的に示す、第３の布領域４の機能を図２に示す。図２では、着用者（図２には示さず）の左腕を上げた後の衣類物品１が示される。第１の布領域２と第２の布領域３との間に第３の布領域４を提供し配置したことにより、第２の布領域３の運動は第１の布領域２から実質的に分離される。第１の布領域がセンサ（図２には示さず）を受け入れるので、第２の領域３の運動はセンサには伝わらない。センサは、着用者の隠れた皮膚に実質的に動かないようにされたままであり、すなわちセンサが実施する測定に悪影響を及ぼさない。
【００７０】
図２に示すように、第２の布領域３と第１の布領域２との間の相対運動は、第３の布領域４の明らかな伸びまたは伸張をもたらす。この伸びまたは伸張は、第３の布領域が第１の布領域よりも容易に伸張できることで生じることができる。
【００７１】
たとえば、第１の布領域は、第１の布領域よりも小さい弾性モジュールを有することができる。材料の弾性モジュールが、引張り力下でどのくらい遠くに材料が伸張するかを示すものであることは知られている。一般的に、弾性モジュールは引張り力および材料拡張の比率として定義され、すなわち、より小さい弾性モジュールとは、同じ材料の拡張により小さい引張り力を必要とすることを意味する。図１および図２の実施形態では、このことは、第３の布領域４が第１の布領域および第２の布領域よりもかなり伸張することを意味する。
【００７２】
引張り力が生じたときに第３の布領域４の伸びまたは伸張に有利であるさらなる可能な形態を図３に示す。ここでは、第３の布領域は折りひだ状構造７を含む。このような構造はプリーツ、すなわち人工的に作り出した折りひだであってもよい。たとえば、しわ布または３次元微細構造などの他の構造もまた考えられる。図３の実施形態に示されるように、これらの折りひだ７は、第１の布領域と第２の布領域との間に生じる引張り力に対して適切な角度で、たとえば袖周りに周方向で配置することができる。第１の布領域と第２の布領域との間の相対運動の場合、第３の布領域４の折りひだ７は引き伸ばされ、すなわち第３の布領域は伸張される。伸びまたは伸張を実施するために、引張り力が生じたときに、折りひだ７がこうして第３の布領域４の十分な布地予備部をもたらすことを確実にする。
【００７３】
引張り力が生じたときに第３の布領域４の伸びまたは伸張に有利であるさらなる可能な形態を図４に示す。ここでは、第３の布領域４が、衣類物品１の着用時に第１の布領域よりも衣類物品の着用者の皮膚からさらに離すように設けられる。図４の実施形態では、腋窩下の第３の布領域４は、第１の布領域および第２の布領域よりも着用者の皮膚（図４には示さず）からさらに離れている。この実施形態では、第３の布領域４は、第１の布領域と第２の布領域との間に部分的に配置されている。第３の布領域の一部分、すなわち腋窩の下は、第１の布領域と第２の布領域との間に配置されない。この方策により、第３の布領域４は、引張り力が生じた場合に伸びまたは伸張を実施するように十分な布地予備部を有する。
【００７４】
引張り力が生じたときに第３の布領域４の伸びまたは伸張に有利であるさらなる可能な形態には、第３の布領域４が第１の布領域および／または第２の布領域とは異なる機械的事前張力を有するということがある。たとえば、第３の布領域４は、第１の布領域および第２の布領域よりも低い機械的事前張力を有することができる。このように、第３の布領域４は、衣類物品１の着用時、第１の布領域と第２の布領域との間に引張り応力が生じたときにより容易に変形することができる。したがって引張り力の発生は、第３の布領域４の伸びまたは伸張により最小にすることができ、第１の布領域および第２の布領域は分離される。
【００７５】
第３の布領域４の低い機械的事前張力は、たとえば、第３の布領域４を第１の布領域および／または第２の布領域にたとえば縫い付けにより接続するときに、第１の布領域および／または第２の布領域を引張り応力により伸張することで達成することができる。このように、第３の布領域４は第１の布領域および／または第２の布領域よりも低い機械的事前張力を受ける。
【００７６】
上記した実施形態は、第３の布領域４の提供および第１の布領域２と第２の布領域３との間を分離する第３の布領域４の配置により、センサを受け入れることができる第１の布領域２が衣類物品１の着用者の皮膚と共に移動することを確実にするという共通点を有する。このように、センサの変位は低減または回避され、すなわち、センサは中断することなく測定を実施し続けることができる。上記した実施形態は、たとえば組み合わせることができる。それに応じて実装した第３の領域を介して第１の領域および第２の領域を分離する他の手法もまた考えられる。
【００７７】
図１から図４に示される実施形態では、第１の布領域２は、第２の布領域３と当接せず、すなわち、第３の布領域４はこれらの領域を完全に分割する。あるいは、第１の布領域および第２の布領域を図５の実施形態に示すように当接するように配置することができる。ここでは、袖領域の形態の第２の布領域３は、袖の上側から胴領域の形態の第１の布領域２に描かれ、すなわち、両方の領域が肩の領域内の袖の上側で接触している。第３の布領域４は、袖領域３と胴領域２との間の腋窩側および腋窩下に袖部４の形態で配置される。たとえば腕を上げる運動の間、最大の引張り力が袖領域３と胴領域２との間の腋窩下に生じるので、袖部４のこの配置は、図１から図４の実施形態と同様に、分離機能をちょうど同じくらい良好に満足させるものである。
【００７８】
図６の実施形態では、第３の布領域４は、小さい方の弾性モジュールＥ１の方向が、衣類物品１の着用時に最大機械的張力Ｆが生じる方向に実質的に平行であるように向けられた、互いに異なる２つの方向に、２つの異なる弾性モジュールＥ１およびＥ２を有する。
【００７９】
互いに異なる２つの方向に異なる弾性モジュールを有する布材料は、たとえば織布とすることができる。織布は、一般的に直交する縦糸および横糸から作製される。様々な厚さおよび密度の縦糸および横糸、ならびに織り交ぜる形式により、縦糸方向および横糸方向に互いに明確に異なる弾性モジュールをもたらすことができる。
【００８０】
図６の実施形態では、第３の布領域４は、最小弾性モジュールＥ１の方向が、衣類物品の着用時に最大機械的張力Ｆが生じる方向に実質的に平行であるように衣類物品１に配置される。
【００８１】
図６の上半身部用衣類物品の例では、最大機械的張力Ｆは、たとえば腕を上に上げたとき腋窩の下側で生じ、袖領域２から胴領域２の方に向けられる。これに応じて、最小弾性モジュールＥ１の方向は、この機械的張力Ｆの方向に実質的に平行に配置される。このように、引張り応力の発生時に第３の布領域の伸張はさらに有利であり、センサの変位が低減または回避される。
【００８２】
図７は、衣類物品１が、衣類物品の着用時にセンサが衣類物品１の着用者の胴体周りを少なくとも部分的に取り巻くように、センサ５を周方向に配置するように設計された本発明のさらなる実施形態を示す。たとえば、センサ５は、呼吸を測定するために使用される蛇行形状の導電体であってもよい。呼吸の測定に関して、センサ５は、たとえば、蛇行形状の導電体を有し、それぞれの蛇行形状の導電体は、電気コイルを表し、電気振動子に接続される。呼吸運動により、胸および腹部の周囲長さが変化し、したがって導電体の長さが変化し、コイルのインダクタンスが変化し、最終的に振動数が変化する。振動数の変化は評価することができ、呼吸運動に関する判断を行うことを可能にする。
【００８３】
図８は、衣類物品１が、周方向の第３の布領域４と、センサ５に接続された導電体６とを備える本発明による衣類物品１の別の実施形態の図を示す。導電体は、たとえば測定データ処理デバイス（図８には示さず）につなぐことができ、この測定データ処理デバイスは、衣類物品１に配置され、センサ５によって測定されたデータを処理もしくは記憶し、または受信機に無線送信する。
【００８４】
図９は、第３の布領域４が、２つの部分４ａおよび４ｂと、測定データ処理デバイス７とを備える、本発明による衣類物品１のさらなる実施形態を示す。第３の布領域４は、肩領域で腕を囲む部分４ａと、腋窩下の側面胸部領域から上腕領域まで延在する長手方向部分４ｂとを備える。さらに、センサの機能に最適な領域８が図９に示される。この実施形態ではセンサが心拍数用電極である場合、この領域に位置決めされ、衣類物品１の着用者の心拍数を測定することが可能である。測定データ処理デバイス７は、導電体６により心拍数用電極に接続される。この導電体は可撓性とすることができ、導電体が配置される布領域と同様の伸張挙動を呈することができる。
【００８５】
図１０は、図９の実施形態による第３の布領域４の部分４ｂの詳細図を示す。部分４ｂは、細長い先細形状を有する。この切断部により、第１の領域および第２の領域からの最適な分離が可能になる。
【００８６】
図１１は、本発明による方法の実施の部分側面図を示す。ここでは、着用者、すなわち競技者の皮膚の伸張パターンをスポーツ特定運動、すなわち、サッカー中のスローインの間光学的方法により記録する。図面では、皮膚の伸張が、休息の皮膚状態、たとえば両腕を下した状態で普段通りのまっすぐな姿勢で起立する間と比べた相対伸張として示される。したがって、皮膚の特定領域における１００％の相対伸張とは、この領域の皮膚の長さが２倍に伸張したことを意味する。３０％の伸張は、たとえば、以前は長さ１ｃｍの皮膚片が１．３ｃｍの長さに伸張したことを意味することになる。
【００８７】
図１１に示すように、２５％から６０％の最大伸張が領域９に生じる。領域１０では、２０％から２５％の伸張が表される。領域１１では、１０％から２０％の伸張、領域１２では０％から１０％の伸張が表される。図１１に示すように、スローインの間の皮膚の最大伸張は、中−側面胸部領域と中−側面背部領域との間で、腋窩の下に生じる。
【００８８】
図１１に例として示される伸張パターンを記録した後、スポーツ衣類物品が、本発明による方法に従って製造され、スポーツ衣類物品が着用時に皮膚の伸張パターンと実質的に同様の伸張パターンを呈する。
【００８９】
スポーツ衣類物品の伸張パターンは、皮膚の伸張パターンと非常に類似しているので、スポーツ衣類物品の着用者の特定運動の間、スポーツ衣類物品によって受け入れられる、たとえば心拍数用電極などのセンサが、スポーツ衣類物品の着用者の隠れた器官の領域に実質的に動かないようにされたままである。このことは、センサが、持続的な測定ができなくなるような着用者の特定運動の間変位しないことを意味する。
【００９０】
本発明による方法により、センサを受け入れるのに適したスポーツ衣類物品の製造が可能になり、したがって自然な運動シーケンスの間、測定信号の持続的な「消失」が存在することなく、スポーツ衣類物品の着用者の生理学的データをリアルタイムで測定することを可能にする。たとえば、本発明による方法に従って、スポーツ衣類物品は、特定の種類のスポーツまたは一群のスポーツに適合させることができ、皮膚の伸張パターンを記録するときに少なくとも１つの、そのスポーツに対する特定運動が実施される。
【００９１】
たとえば、本発明による方法に従って製造されたスポーツ衣類物品を着用する運動場でのスポーツの競技者は、センサの位置を修正するために運動場を離れる必要がない。ラグビーなどの比較的「荒っぽい」スポーツにおいてでさえ、センサの固定は保証される。
【００９２】
図１２は、本発明による方法の実施の部分側面図を示す。図面では、本発明によるスポーツ衣類物品１の伸張を示す。スポーツ衣類物品の伸張は、ここでは図１１の皮膚の伸張と同じ方法を使用して測定した。異なる伸張の領域は、図１１の領域と一致する。０％から１０％の最も少ない伸張が、領域１２に生じる。たとえばスローインなどのスポーツ特定運動の間、センサおよび／またはセンサ用の伸張可能な電気供給部は、この領域では最も少なく変位するかまたは全く変位しないので、この領域がセンサを位置決めするのに最も適している。センサおよび／または伸張可能な電気供給部を１０％から２０％の伸張を呈する領域１１に位置決めすることもできる。
【００９３】
好ましくは、センサ用の伸張可能な電気供給部は、たとえば弾性モジュールにより表して、伸張可能な電気供給部が取り付けられるスポーツ衣類物品の領域と同じ伸張挙動を有する。
【００９４】
図１１および図１２に示される伸張の規模は、０％から３０％の範囲である。しかし、３０％を超える伸張、たとえば６０％の伸張も図１１および図１２に示される領域９に生じる。図１１および図１２の説明において、伸張は４つの領域、すなわち１２：２５％から６０％、１１：２０％から２５％、１０：１０％から２０％および９：０％から１０％に分割した。他の分割、より大まかな分割またはより細かい分割が当然ながら可能である。同様に、たとえばスポーツ特定運動またはスポーツに応じて、伸張の規模を、より大きいまたはより小さい最大発生伸張に適合することができる。
【００９５】
図１３は、一実施形態に従った第３の布領域の部分４ｂの詳細図を示す。部分４ｂでは、第３の布領域は３０％を超える、好ましくは６０％を超える弾性を有する。
【００９６】
図１４は、一実施形態に従ったスロット（長細孔、溝）１３を有する第３の布領域の部分４ｂの詳細図を示す。第３の布領域のスロットは、第１の布領域と第２の布領域との間の分離にさらに有利であり得、スロットが、たとえばサッカー中のスローインの間、第１の布領域が持ち上がるのを防止または低減する。
【００９７】
図１５は、本発明による衣類物品の一代替的実施形態の部分図を示す。前の実施形態と比較すると、この実施形態は、特に第３の領域に異なる切断部を有する。
【００９８】
図１６は、バスケットボールであるスポーツに適した本発明による衣類物品の一代替的実施形態の部分図を示す。ここでは、第３の布領域４の一部がひし形の形状で腋窩より下に位置決めされる。
【００９９】
本発明による衣類物品によって受け入れられたセンサは、できる限り最適に位置決めされることが重要である。以下の方法をこのために適用し得る。
【０１００】
本方法は、センサが衣類物品の着用者の生理学的データを測定するのに適している、衣類物品上のセンサ可能位置の領域の決定に関し、この方法は、ａ．第１の着用者が衣類物品を身に着けるステップと、ｂ．第１の着用者に特定である衣類物品上のセンサ可能位置の領域に印を付けるステップと、ｃ．少なくとも第２の着用者のためにステップａおよびステップｂを繰り返すステップと、ｄ．第１の着用者および第２の着用者のセンサ可能位置の特定領域の重複する領域を決定するステップとを含む。
【０１０１】
重複領域を直接決定することができるが、たとえば、第１の着用者および第２の着用者の可能センサ位置が重複しないすべての領域を調査するという逆からの結論により間接的に決定することもできる。重複領域は、第２の着用者に対する特定領域を第１の着用者に対する特定領域内でのみ決定するということによっても決定することができる。それに応じて第３の着用者に対する特定領域が、第２の着用者に対する特定領域内でのみ決定されることになり、以下同様である。このように、重複領域は連続的に絞り込まれる。
【０１０２】
したがって、本方法により、センサまたは取付体は衣類物品上で可能な限り最適に位置決めされ、その結果わずかな変位を許容し得ることが確実になる。一般的には、衣類物品は、異なるサイズ、たとえばＳ（「小（small）」の意）、Ｍ（「中（medium）」の意）、Ｌ（「大（large）」の意）およびＸＬ（「特大（extra large）」の意）で、必要に応じてより小さいおよびより大きいサイズの増分で提供される。原則として、オーダーメイドの物品はレジャーおよびスポーツの分野ではそれほど見られるものではないが、たとえば高いパフォーマンスのスポーツの分野でも可能性がある。このために、１つの特定サイズが、多数の異なる着用者の骨格にできるだけフィットするべきである。知られているように、同じ衣類のサイズを共有する人々は同じ骨格を共有しておらず、たとえば周囲長さ、腕および脚の長さ、肩および腰の幅などに関してむしろ大きな相違がある。
【０１０３】
本方法は、複数の異なる着用者の骨格に対するセンサの位置決めに最適である、衣類物品の領域の決定を可能にする。この領域は、本方法により決定される重複領域である。したがって、本方法により、測定すべき器官の生理学的データの測定が可能な様式で、できるだけ多数の異なる着用者において前記器官の上にセンサが置かれるように、センサまたは取付体が衣類物品に位置決めされることが保証される。この位置決めにより、センサが依然として本方法により決定された最適な領域内に置かれるので、わずかな変位を許容することができる。センサが、衣類物品を身に着けた直後、したがって任意の活動の前にすでに測定に最適ではない領域、たとえば器官の周辺領域に位置決めされた場合、わずかな変位がセンサの最適位置からセンサ自体を遠くに離すことにつながるおそれがある。つまり、測定ができなくなることになる。
【０１０４】
好ましい実施形態では、本方法は、衣類物品上に参照マークを付与するステップをさらに含む。好ましくは、このステップはステップａ．の前に行われる。しかし、参照マークがステップａ．の後まで付与されないことも等しく可能である。参照マークにより、異なる着用者に対するセンサ可能位置の特定領域間での比較が容易に可能になる。本方法の過程による電気的測定および処理が参照マークにより容易になる。
【０１０５】
好ましくは、参照マークは、格子である。このことにより、異なる着用者に対するセンサ可能位置の特定領域の測定が容易になり、領域の座標を格子に対して決定することができる。
【０１０６】
図１７は、センサ最適位置の領域を見つけることに関する図を示す。図１７では格子が参照マークとして示される。さらに、衣類物品上のセンサ最適領域が現在の着用者用に決定され、それに応じて衣類物品上に印が付けられた。この最適領域は、胸筋（大胸筋）の下側と胸郭の底縁部との間、たとえば肋骨弓（costal arch、arcus costalis）の領域に置かれる。一方で、この位置により、センサが衣類物品の着用者の休息状態での信号を良好に測定することを可能にする。他方で、着用者の運動中、たとえばスポーツ中の信号の「消失」が低減または回避される。
【０１０７】
好ましくは、本方法は、参照マークに関する第１の着用者および第２の着用者のセンサ可能位置の特定領域を電気的に記録するステップを含む。電気的に記録することにより、本方法の過程における単純な電気的処理および評価を可能にする。
【０１０８】
本方法が、参照マークを使用することによって、少なくとも２人の着用者のセンサ可能位置の特定領域を重ね合わせるステップを含むことがさらに好ましい。異なる着用者のセンサ可能位置の特定領域を重ね合わせるステップを介して、重複領域を交差部分として容易に決定することができる。しかし、重複領域を直接的および間接的に決定する他の方法も可能である。
【０１０９】
本方法の好ましい実施形態では、第１の着用者および第２の着用者に対するセンサ可能位置の特定領域が、胸筋（大胸筋）の下側および胸郭の底縁部によって、たとえば肋骨弓（costal arch、arcus costalis）の領域に制限される。このような制限領域は、心拍の決定に関連がある領域、すなわち、心拍の測定に適したセンサ、たとえば電極をこの領域に位置決めすべきである領域である。
【０１１０】
本方法の好ましい実施形態では、第１の着用者および第２の着用者は、それぞれ、異なる種類のスポーツ競技者である。これによりセンサの位置が、サッカーおよびバスケットボールなど異なる種類のスポーツの実施に最適であり、センサのわずかな変位を許容し得ることが保証される。
【０１１１】
図１８は、記載した、センサ最適位置の領域を見つける方法の本態様の図を示す。異なる平均的サッカー選手に対する最適領域が左側に示され、一方で、異なる平均的バスケットボール選手に対する最適領域が右側に示される。サッカー選手の異なる最適領域の結果から、重複領域１４が、本方法の実施のために使用したサッカー選手が平均的母集団および／または購入者と対応する場合は、サッカー選手の大部分に対して最適である。同じことが平均的バスケットボール選手に対する右側の重複領域１５に適用される。
【０１１２】
図１９は、２つの異なる種類のスポーツに対する、センサ最適位置の領域を見つける一態様図を示す。この図では、図１８の領域１４および１５が重複しており、その結果、サッカーおよびバスケットボールの両方に対してセンサが最適に位置決めされる領域１６が生じる。
【０１１３】
本方法のさらなる好ましい実施形態では、第１の着用者および第２の着用者に対する特定領域が、センサが第１の着用者および第２の着用者の生理学的データを測定することができるすべての位置を含む。
【０１１４】
本発明のさらなる態様は、センサ用の少なくとも１つの組付けデバイスを有する衣類物品であって、衣類物品のセンサ用組付けデバイスの位置が、上記した方法に従って衣類物品にセンサ可能位置の領域を決定することを含む方法により決定された、衣類物品に関する。組付けデバイス、たとえばポケットまたはクリップはセンサを衣類物品に固定し、したがって衣類物品上にセンサの位置が決定される。センサの位置およびしたがって組付けデバイスの位置は上記した方法に従って決定され、その結果、センサの位置およびしたがって組付けデバイスの位置が複数の異なる着用者の骨格に対して最適であり、また、センサにより実施される測定に悪影響を及ぼすことなく、センサのわずかな変位を許容し得る。この結果、本発明による衣類物品は、従来技術から以前より知られている、センサを受け入れるための衣類物品とはさらに異なる。
【０１１５】
本発明のさらなる態様は、少なくとも１つのセンサを備える衣類物品であって、衣類物品のセンサ位置が、上記した方法に従って衣類物品上にセンサ可能位置の領域を決定することを含む方法により決定されている、衣類物品に関する。これによりセンサの位置が複数の異なる着用者の骨格に対して最適であり、また、センサにより実施される測定に悪影響を及ぼすことなく、センサのわずかな変位を許容し得ることが保証される。ここでは、本発明による方法の使用による位置決定が、本発明による衣類物品のセンサ機能の測定の正確さおよび信頼性を著しく決定するということも言える。
【符号の説明】
【０１１６】
１  衣類物品
２  第１の布領域
３  第２の布領域
４  第３の布領域
４ａ  部分
４ｂ  部分
５  センサ
６  導電体
７  折りひだ
８  領域
９  領域
１０  領域
１１  領域
１２  領域
１３  スロット
Ｅ１  弾性モジュール
Ｅ２  弾性モジュール
Ｆ  最大機械的張力
【図１】
2014074258.tif 000003
【図２】
2014074258.tif 000004
【図３】
2014074258.tif 000005
【図４】
2014074258.tif 000006
【図５】
2014074258.tif 000007
【図６】
2014074258.tif 000008
【図７】
2014074258.tif 000009
【図８】
2014074258.tif 000010
【図９】
2014074258.tif 000011
【図１０】
2014074258.tif 000012
【図１１】
2014074258.tif 000013
【図１２】
2014074258.tif 000014
【図１３】
2014074258.tif 000015
【図１４】
2014074258.tif 000016
【図１５】
2014074258.tif 000017
【図１６】
2014074258.tif 000018
【図１７】
2014074258.tif 000019
【図１８】
2014074258.tif 000020
【図１９】
2014074258.tif 000021
【外国語明細書】
2014074258000001.pdf